(57)【要約】ペースト状または半軟状のリップ製品を使用者の唇に塗るための、本体（１１）を備える改良されたリップ製品用アプリケータ。本体（１１）は、同本体から延びる製品保管部を有する。製品保管部は、ほぼ中空であり、本体（１１）に対向する保管部の端から延びる先頭（３２）を備える。保管部はその内部に、先頭（３２）内のオリフィスを介して製品を放出するための手段を収容する。先頭（３２）は、透明材料から形成され、従って使用者は内部に収容された製品の色を視認することが可能となる。先頭（３２）はまた、テーパ形状をなし、リップ製品が使用者の唇に塗られる際に該テーパ形状を保持する。
2005500111.tif 000002
【特許請求の範囲】
【請求項１】
ペースト状または半軟状のリップ製品を使用者の唇に塗るための、改良されたリップ製品用アプリケータであって、前記アプリケータは本体を有し、同本体は、本体から延びる製品保管部を備え、同製品保管部は中空であり、かつ本体と反対側の端から延びる先頭を有し、さらに前記製品保管部は、内部に収容された製品を前記先頭内のオリフィスを介して放出する手段を備え、前記先頭は、テーパ形状をなし、かつリップ製品が使用者の唇に塗られる際にテーパ形状を維持するアプリケータ。
【請求項２】
さらにキャップを備え、同キャップは、キャップの側壁に一つ以上の窓を有して、アプリケータ内のリップ製品の色を視認可能にする請求項１に記載のアプリケータ。
【請求項３】
さらにキャップを備え、同キャップは、キャップの側壁に一つ以上の窓を有して、アプリケータ内に残留するリップ製品の量を視認可能にする請求項１に記載のアプリケータ。
【請求項４】
前記キャップの両側に窓を備え、これら窓はキャップの頂面を横切って延びる頂部窓部分により連結されている請求項２に記載のアプリケータ。
【請求項５】
前記窓は、ＰＥＴＧから形成されている請求項２に記載のアプリケータ。
【請求項６】
前記本体は別の製品を収容している容器の頂部部分を受容する開口を備える請求項１に記載のアプリケータ。
【請求項７】
前記製品は香水である請求項６に記載のアプリケータ。
【請求項８】
前記製品は爪磨き剤である請求項６に記載のアプリケータ。
【請求項９】
前記製品は顔面クリームである請求項６に記載のアプリケータ。
【請求項１０】
前記製品はリップグロスである請求項６に記載のアプリケータ。
【請求項１１】
前記製品はアイシャドウである請求項６に記載のアプリケータ。
【請求項１２】
前記製品はアイライナーである請求項６に記載のアプリケータ。
【請求項１３】
前記製品はパウダーである請求項６に記載のアプリケータ。
【請求項１４】
前記製品はクリームである請求項６に記載のアプリケータ。
【請求項１５】
前記製品保管部は曲面状の側壁を有する請求項１に記載のアプリケータ。
【請求項１６】
前記製品保管部は製品を該保管部から移動させる移動手段を有する請求項１５に記載のアプリケータ。
【請求項１７】
前記移動手段は保管部の外部にあり、かつアプリケータの本体内に固定された円盤であり、該円盤はねじ手段を支持し、該ねじ手段は、アプリケータの本体の回転にともないねじ上を上方または下方に移動する移動部材を備える請求項１６に記載のアプリケータ。
【請求項１８】
前記移動部材は、案内部材により回転を防止される請求項１７に記載のアプリケータ。
【請求項１９】
前記案内部材は、前記保管部の内壁から保管部の全長の少なくとも一部に沿って延びて、前記移動部材上の凹部に嵌入する請求項１８に記載のアプリケータ。
【請求項２０】
前記保管部の外周の一部に把持部分が接着されて、同把持部分は、リップ製品の使用者がアプリケータを把握することにより、本体の回転にともなう保管部の回転を防止するための領域を提供し、前記把持部分はさらに、購買者が製品の色を視認し、かつ保管部内に残留する製品の量を判定することを可能にする窓を備える請求項１に記載のアプリケータ。
【請求項２１】
前記先頭は、リップ製品を使用者の唇に塗るための水滴形状を備えた表面部を有する請求項１に記載のアプリケータ。
【請求項２２】
前記表面部は、垂直軸および水平軸に沿って凹形を有し、従ってリップ製品が保管部から放出される際に、リップ製品が該表面部上に保持される請求項２１に記載のアプリケータ。
【請求項２３】
前記表面部は、リップ製品を受容するための複数の管を備える請求項２２に記載のアプリケータ。
【請求項２４】
外周管を備える請求項２３に記載のアプリケータ。
【請求項２５】
前記オリフィスから下方に延びる第一垂直管を備える請求項２３に記載のアプリケータ。
【請求項２６】
前記先頭は、前記表面部上に少なくとも一つの水平管を有する請求項２３に記載のアプリケータ。
【請求項２７】
前記キャップは、同キャップが定位置にあるときに前記オリフィス内に挿入されるプラグを備える請求項３に記載のアプリケータ。
【請求項２８】
前記プラグは、前記キャップの内面から延びる突出部によってキャップに接着され、該突出部は、キャップに隣接する基部を有し、前記突出部は、その先端が基部よりも幅広く、該先端は、前記オリフィスの反対側のプラグの面に嵌入している請求項２７に記載のアプリケータ。
【請求項２９】
前記先頭は、内部に収容される製品の色を使用者が視認することを可能にする透明材料から形成されている請求項１に記載のアプリケータ。
【請求項３０】
ペースト状または半軟状の製品を使用者に塗るための改良されたアプリケータであって、前記アプリケータは本体を有し、同本体は、本体から延びる製品保管部を備え、同製品保管部は中空であり、かつ本体の反対側の端から延びる先頭を有し、さらに前記製品保管部は、内部に収容された製品を前記先頭内のオリフィスを介して放出する手段を備え、前記先頭はテーパ形状をなし、かつ製品が使用者に塗られる際に該テーパ形状を維持するアプリケータ。
【発明の詳細な説明】
【技術分野】
【０００１】
本発明は、リップスティック、またはポマード類のアプリケータを含む、リップ製品を唇に塗るための改良されたアプリケータに関する。
【背景技術】
【０００２】
多数の唇用化粧品および他のリップ製品が、市場にて販売されている。このような製品には、例えば、リップグロス、リップスティック、リップ軟膏等が含まれる。リップ製品には、容器から指またはブラシにより塗られるものもあるが、多くはアプリケータを使用して塗布される。リップスティックは、通常、リップ製品のスティックを受容する受容器を備えたアプリケータを使用して塗布される。受容器は、通常リップスティックの一端を保持するように構成された、凹部を備える部材である。受容器からは、スティックのその他の部分が延びる。受容器は、製品が使用されるときにリップスティックをアプリケータから伸張および後退させたり、非使用時にデリケートなスティックを保管したりする機構の内部に静止している。スティックをさらに保護するため、アプリケータの上部にカバーも設けられている。カバーは、購買者がスティックの色を視認できるように、透明材料から形成されている場合もある。
【発明の開示】
【発明が解決しようとする課題】
【０００３】
リップスティックが有する問題点の一つは、スティックは、注意深く取り扱わないと破損したり、折損する事である。リップスティックの別の問題点の一つは、使用者が、使用後、スティックを凹部の位置へ戻し忘れた場合に生じる。これらの場合、もしもキャップが伸張したリップスティック上に配置されると、スティックが、汚れたり、破壊されたり、あるいは形状が損なわれたりする。リップスティックの購買時、スティックは、予め端部が尖っているか、または使用者が所望の方法でリップスティックを塗布できるように角度が付与されている。しかしながら、リップスティックは比較的軟質であるため、時間の経過と共に、先端の尖った形状または角度が失われる傾向にある。その結果、常に所望される明瞭なラインを形成することが困難となる。このようなスティックの磨り減りにより、使用者は、使い切る前に製品を処分したり、先端を再形成したりする。
【０００４】
リップスティック、またはポマード類に関する別の問題点は、色の選択である。消費者の多くは、リップスティックの色の選択に拘る。色の選択は、多数の理由により重要である。重要な要因の一つは、各個人の好みである。人々は、特定の色を他の色よりも好む。ある一色を他の色よりも好む人もいる。塗布された場合に、ある一色が別の色よりも美しい外観を有すると考える人もいる。各人の皮膚の色もまた要因となり得る。ある一色がある人には美しい外観を呈するが、別の人にはそうでなない場合もある。さらに、ファッションセンスも要因となる。ある時期に流行していた色が、別の期間には流行しない場合もある。
【０００５】
化粧品会社は、多数の方法によって、リップスティックの有し得る色を表示する試みを行っている。一つの方法では、リップスティックのアプリケータに透明なカバーを設けて、消費者がカバーを通してリップスティックを視認できるようにする。リップスティックのアプリケータは、製品供給装置であるとともにファッション・アクセサリーでもあり得るため、透明カバーは、美観または形態上の理由を含む多数の理由によって、製造者や購買者には必ずしも所望されていない。別の方法の一つでは、パッケージ、アプリケータ、または他の箇所にて色サンプルを使用する。色サンプルが添付されることにより、色の情報が消費者にいく分か提供されるが、色札または色サンプルは問題点を有する。第一に、色が紙面上に印刷されていることである。紙は、色をある程度まで再現するが、その色はアプリケータ内の色と完全には一致しない。紙を原因とする色の相違は、色が再現される紙の種類に応じて悪化し得る。紙が光沢のない仕上げを有するか、光沢仕上げを有するかに応じて、また色見本の背景色に応じて、購買者の目は、紙面上の色とパッケージ内の製品の実際の色との差異を認識し得る。ある製造業者は、使用者がキャップを取り去って実際の製品を見ることを可能にすることにより、このような色の不一致の問題を回避する試みを行っている。この方法により、色選択の問題は解決されるが、別のより重大な問題が生じる可能性がある。製造業者は、消費者が製品を視認するのみでなく、実際に唇に塗って試す危険性を有している。ある理由により、多くの消費者は、製品を試した後、その特定の商品を購入するのではなく、未使用の商品を選択して購入する。製品を手にとることを可能にすることによって、製品の不正開封の危険性による非常に重大な安全性の問題が生じ得る。消費者が販売店で製品を手に取って使用することにより、製品が汚染される場合もある。これ以外にも、製品が試用可能な場合、消費者は、キャップを戻すこと、キャップを戻す前に製品をアプリケータ内に後退させること等には、必ずしも注意を払わない。
【０００６】
本発明の目的は、改良されたアプリケータを提供することにある。
本発明の目的は、唇にリップ製品の正確な塗布を提供するアプリケータの一部分を有する、改良されたアプリケータを提供することにある。
【０００７】
本発明の目的はまた、使用期間中、アプリケータの一部分がその形状を維持するアプリケータを提供することにある。
本発明の別の目的は、キャップ内に窓を設けることによって、購買者は製品を開封しなくとも製品の内容物を視認できるようにしたアプリケータを提供することにある。
【０００８】
本発明のさらなる目的は、独特の供給システムを備えるアプリケータを提供することにある。
本発明の目的は、リップ製品を塗るための独特の先端を有するアプリケータを提供することにある。
【０００９】
本発明のさらなる目的は、従来のリップスティック、またはポマードと同様の形態にてリップ製品を容易に塗布し得る、改良されたアプリケータの表面部を提供することにある。
【００１０】
本発明の目的はまた、消費者が、アプリケータ内のリップ製品の量を、購入時および使用中に視認できるアプリケータを提供することにある。
本発明の別の目的は、供給装置からリップ製品を完全に取り出すことのできる、改良されたリップ製品のアプリケータを提供することにある。
【課題を解決するための手段】
【００１１】
本発明は、本体と、アプリケータ内のリップ製品を保護するためのキャップとを有する、改良されたアプリケータに関する。キャップは一つ以上の窓を有して、アプリケータの色を視認可能にし得る。所望により、窓は、キャップの片側、キャップの対向する両側、または所望の別の部分等に設けられる。窓がキャップの両側に存在する場合、二つの窓部分は、個別の窓であっても、キャップの頂面を横切って延びる頂部窓部分により連結されていてもよい。窓は、ＰＥＴＧ等の透明プラスチック、または他の透明材料等の任意の適切な材料から形成され得る。本発明のアプリケータは、リップ製品、またはコンシーラーやアイシャドウを含むがこれらに限定されない、クリーム状もしくはペースト状の粘度を有する任意の他の製品を供給するのに使用され得る。
【００１２】
本体の基部は、香水容器の頂部部分を受容する開口を有し得る。香水容器は、香水供給装置の頂部を受容して、同香水容器を密封するキャップ部材によって基部内に固定される。香水容器を、他の化粧品または他の容器に置き換えてもよい。例えば、爪磨き剤、顔面クリーム、リップグロス、アイシャドウ、アイライナー、パウダー、およびクリームの容器であってもよい。
【００１３】
アプリケータの本体は、両端が開放された中空のチューブであり得る。本体の底部の開放端は、アプリケータのその他の部分を都合よく挿入可能にするとともに、その端を通してアプリケータ内にリップ製品を充填することを可能にする。組み立てまたは充填の完了後、この開放端にエンドピースが取付けられ得る。
【００１４】
本体内に製品保管部が配置されている。この製品保管部は、曲面状の側壁および先頭を有する、ほぼ中空の部材であることが好ましい。保管部の開放端には、製品をアプリケータから移動させることによって、製品が使用者の唇に塗られる移動手段がある。移動手段は、通常、保管部の外側にある円盤であってもよく、アプリケータ本体内に固定されていることが好ましい。円盤の片面から支持部材が延び、同支持部材は、本体基部の反対側の円盤の面から延びている。支持部材は、円盤と一体化されていても、円盤とは別個の部材であってもよい。支持部材が別個の部材である場合、支持部材は、なんらかの方法により円盤に固定される必要がある。支持部材は、保管部の開放端３３内に挿入される。
【００１５】
支持部材は、ねじ手段のための固定手段を提供する。ねじ手段は、その一端が支持部材内に埋入されるか、または支持部材に固定されている、ねじ切りが施された棒材である。ねじ手段上には、円盤状部材である移動部材が螺合され、同移動部材のほぼ中心を、ねじ手段が通過している。移動部材は、ねじ手段のねじ部を受容して、アプリケータ本体が回転されると同時に、ねじ部上にて上方または下方に移動する。移動手段が本体の動きに応答して単なる回転を行い、保管部内で移動しないことを防止するために、内壁は、保管部の壁から保管部の全長の少なくとも一部に沿って延び、移動部材の縁に沿って設けられた凹部に嵌入する案内部材を備えることが好ましい。移動部材が上方へ移動することにより、保管部内の製品が強制的に供給される。
【００１６】
保管部の周面の一部に、回動襟部、即ちＡシェル（Ａ−ｓｈｅｌｌ）が接着されている。この回動襟部、即ちＡシェルは、適切な手段により保管部に連結されて、リップ製品の使用者がアプリケータを把握して、本体の回転に伴う保管部の回転を防止するための領域を提供する。回動襟部、即ちＡシェルに窓を設けて、購買者が製品の色を視認でき、かつ保管部内に残留する製品の量を判定できるようにしてもよい。窓は、ＰＥＴＧ等の透明材料または他の透明材料からなる細長片であり得る。
【００１７】
保管部は、好ましくはテーパ形状をなし、水滴形状を備える表面部を有する先頭を備える。この表面部は、垂直軸および水平軸に沿ってわずかに凹形を有することが好ましく、従ってリップ製品は、保管部から放出される際に、この表面部上に保持される。表面部は、リップ製品を受容するための複数の管またはチャネルを備えることが好ましい。好ましい実施態様において、管またはチャネルは、表面部の縁を追跡する外周管と、オリフィスから下方に延びる第一垂直管とを有するように構成されている。第一垂直管は、第一水平管および第二水平管と交差し得る。外周管は、アプリケータを清浄に保ち、リップ製品の側方へのこぼれを防止する。
【００１８】
キャップは、アプリケータの非使用時に、製品の汚染を防止し得る。キャップが本体と接触する箇所に、スカートまたは装飾輪が設けられていてもよい。キャップの内部にプラグが設けられ、該プラグは、先頭内のオリフィス内に挿入されて、保存中の製品の放散を防止し、非使用時の製品を汚染から保護する。プラグは、テーパ形状を有し得る。プラグはまた、製品アプリケータを気密に保ち、製品の損傷を防止し得る。
【発明を実施するための最良の形態】
【００１９】
図１に、本体１１を備えたアプリケータ１０と、アプリケータの非使用時にアプリケータ内に収容されるリップ製品を保護するキャップ１２とが示されている。キャップ１２は、一つ以上の窓１３を有して、内部に収容された内容物の色を購買者が視認することを可能にし得る。この特徴により、消費者は、透明キャップを有さない従来のアプリケータのように、内部のリップ製品の色を確認する必要がなくなる。窓は、第一縁１７、第二縁１８、および基部縁１９を有し得る。所望により、窓は、キャップの片側、キャップの対向する両側、または所望によりそれ以上の箇所に設けられ得る。窓がキャップの両側に存在する場合、二つの窓部分は、それぞれ別個であるか、またはキャップの一部分を横切って延びる頂部窓部分２０により連結されている。窓は、内部に収容された製品を視認可能にする透明プラスチックまたは他の材料等、任意の適切な材料から形成され得る。略矩形の窓が示されているが、窓は、丸形または所望により所定の任意の形状を有し得る。
【００２０】
本発明のアプリケータは、従来と同様の形状ではあるが、任意の形状を有し得る。本発明のアプリケータは、概して細長く、即ち、アプリケータの幅寸法よりも全長寸法の方が大きい。アプリケータ本体およびキャップの断面は、丸形、矩形、または所望により任意の他の形を有し得る。一実施態様において、断面は、六角形、七角形、または八角形等の多角形を備え得る。アプリケータ本体１１は、基部１４内にて終焉し、同基部１４は、アプリケータが垂直に設置されるように平坦であることが好ましい。
【００２１】
本発明の一実施態様において、本体の基部１４は、香水容器２１の頂部を受容する開口１５を備えることが可能であり、その詳細は、参照により本願に援用される２００１年４月２５日に出願された本願出願人の米国特許出願公開第０９／８４２３７２号に説明されている。香水容器は、香水供給装置の頂部を受容して、香水容器を密封するキャップ部材１６により、基部内に固定される。また、キャップ部材１６は、接着剤により、またはねじ、摩擦嵌め等の他の手段により、本体２２の内面に固定され得る。キャップ部材１６は、その内面２３上にねじが施され、香水容器のねじ切りされた頂部を受容する。所望により、ぱちんと嵌め込む形態や、他の種類の手段を用いて、容器をキャップ部材に固定してもよい。本願では香水容器について説明しているが、本願に記述される香水容器の代わりに、他の化粧品または他の容器でもよいことが理解されよう。たとえば、爪磨き剤、顔面クリーム、リップグロス、アイシャドウ、アイライナー、パウダー、クリーム等の容器でもよい。
【００２２】
図２に、本発明のアプリケータを、より詳細に示す。本体１１は、両端が開放された中空のチューブであるか、または基部と側壁とを有するカップ状部材等であり得る。中空チューブの構成は、本体の一端において香水容器または他の容器が存在する場合、特に利便性が高い。中空チューブはまた、本体から延びる他の容器が存在しない場合にも利便性が高い。この場合、本体底部上の開放端は、アプリケータのその他の部分を都合よく本体内へ挿入可能にするとともに、その端を通してアプリケータ内にリップ製品を充填することを可能にする。組み立てまたは充填の完了後、この開放端にエンドピース７１を取付けてもよい。このエンドピースは、適切な接着剤を使用して本体に接着されるか、または従来の他の手段を使用して固定され得る。
【００２３】
本体１１内には、製品保管部３０が配置されている。この製品保管部３０は、側壁３１および先頭３２を有する、ほぼ中空の部材であることが好ましい。保管部は、丸形の管状部材であっても、他の形の断面を有するものでもよい。先頭は、側壁と一体化されていても、別個の部材であってもよい。先頭が一体化されている場合、先頭の反対側の端３３は、通常、開放している。この開放端は、保管部にリップ製品を充填するのために使用され得る。リップ製品は、殆どのリップ製品のスティックに通常見られる典型的な個体のリップ製品ではなく、圧力の付与によりアプリケータから流出するペースト状、またはやや軟性の粘度を有する製品であることが好ましい。保管部３３の開放端には、製品をアプリケータから移動させることによって、製品が使用者の唇に塗られる移動手段３４がある。
【００２４】
移動手段は、通常、保管部の外側にある円盤であってもよく、アプリケータの本体１１内に固定されていることが好ましい。円盤を本体内に固定する手段の一つは、接着剤である。他の手段の一つは、本体をわずかにテーパ付けして、円盤の直径を、本体の内径の少なくとも一部よりも少々大きくする。本願にて使用される用語、直径は、本体の内壁の一端から他端までの距離を表すが、内壁は円形である必要はなく、円盤も同様に、円形である必要はない。円盤が本体に固定され得る限り、本体は任意の形状を有し得る。図７Ａに示すように、円盤２４の外周は多角形であり、丸形ではない。このような外周の形状は、円盤を本体内に固定するための十分な摩擦を生じることが分かっている。円盤２４の片面から、支持部材２５が延びている。支持部材２５は、本体基部１４の反対側の円盤の面から延びている。支持部材２５は、円盤２４と一体化されていても、円盤２４とは別個の部材であってもよい。支持部材２５が個別の部材である場合、支持部材は、なんらかの方法により円盤に固定される必要がある。支持部材２５は、保管部３０の開放端３３内に挿入される。支持部材２５の上にはスポンジ材２５Ａがあってもよく、同スポンジ材は保管部の端を密封する補助となり得るが、スポンジ部材は、殆どの場合必要ではない。
【００２５】
支持部材２５は、ねじ手段２６のための固定手段を提供する。ねじ手段２６は、支持部材の片面のほぼ中心に存在する。図７Ｂに示すように、ねじ手段２６は、ねじ切りが施された棒材であり、その一端が、支持部材内に埋入されるか、または支持部材２５に固定されており、他端は、保管部３０内の空間に存在する。代替的に、支持部材の反対側のねじ手段の端が、先頭３２の下面内に固定されてもよい。ねじ手段２６上には、移動部材２７が螺合されている。移動部材２７は、同移動手段２７のほぼ中心を、ねじ手段が通過する円盤状の部材であることが好ましい。移動部材は、本体基部とほぼ平行であり得るが、実施態様の一つでは、移動部材は、一定の角度２８を有し得る。移動部材が一定の角度を有する場合、先頭３２の下面にも一定の角度を付与して、使用者が可能な限りアプリケータから製品を取り出すことを可能にする必要があり得る。移動部材２７は、ねじ手段２６のねじ部を受容して、アプリケータ本体が回転されると同時に、ねじ部上にて上方または下方に移動する。移動手段２７が本体１１の動きに応答して単なる回転を行い、保管部内で移動しないことを防止するために、内壁は、保管部の壁から保管部の全長の少なくとも一部に沿って延びる案内部材４１を備えることが好ましい。移動部材は、その縁４３に沿って設けられた凹部を有し、その凹部内に案内部材４４を受容する。代替的に、移動部材２８が案内部材を備え、この移動部材上の案内部材を受容するための凹部が、保管部の内壁面に設けられてもよい。移動部材２７が上方へ移動することにより、保管部内の製品が強制的に供給される。
【００２６】
保管部３０の周囲であって開放端３３の近隣に、回動襟部、即ちＡ−シェル３５が設けられていてもよい。回動襟部３５は、本体１１と保管部３３との間に存在している。この好ましい実施態様において、襟部３５は、保管部３３の周面の一部に接着されている。襟部は、リップ製品の使用者が指を配置して、製品を供給または後退させる移動部材２８の移動のための本体の回転に伴って、保管部が回転するのを防止するための領域を提供する把握部分として働く。襟部は、適切な手段により保管部に連結されている。襟部３５は、主に美的観点から、その一端がわずかに本体の端内に挿入されることが好ましい。把握部分の全体が透明材料で形成されていてもよいし、把持部分にスリットまたは窓３７を設けて、購買者がキャップを外した際に製品の色を視認でき、保管部内に残留する製品の量を判定できるようにしてもよい。スリットが存在する場合、スリットは、回動襟部７２の縁から延び、かつ一対の側縁７３，７４と、基部７５とを有し得る。別の一実施態様では、スリットは、襟部７２の縁まで延びていない。窓が存在する場合、窓は、襟部の縁まで延びずに、頂縁７６と、側縁７３，７４と、基部７５とを有することが好ましい。窓は、ＰＥＴＧ等の透明材料または他の透明材料からなる細長片であり得る。上述したように、窓およびまたはスリットは、略矩形にて図示されているが、製品の量または色が、窓またはスリットを通して視認できる限り、任意数の形状が適合する。
【００２７】
上記したように、保管部３３は先頭３２を備える。この先頭は、図３および図４に示すように、テーパ形状をなすことが好ましい。先頭は、水滴形状を備える。より詳細には、先頭３２は、水滴形状を備えるとともに、好ましくは垂直軸および水平軸の双方に沿ってわずかに凹形を備えた表面部５０を有し、従ってリップ製品は、保管部３３からチューブ５１を通ってオリフィス５２から放出される際に、この表面部上に保持される。オリフィス５２は、チューブ５１よりも大きい直径を有するか、またはオリフィスに角度が付与されて、表面部５０の角度により、よりオリフィスが大きく出現し得るようにされる。表面部５０は、リップ製品を受容するための複数の管またはチャネル５３を備えることが好ましい。好ましい実施態様において、管は、表面部の縁を追跡する外周管５４と、オリフィス５２から延びる第一垂直管５５とを有するように構成されている。第一垂直管５５は、第一水平管５６および第二水平管５７に分岐し得る。表面部の代替的な実施態様を、図１１Ｄに示す。このように管を構成することにより、使用者がリップ製品を従来のリップスティックと同様の方法にて塗布し得ることが見出されているが、別の構成を使用することも可能である。本発明の利点の一つは、アプリケータの先頭がその形状を保持することによって、使用による消耗や形状の変形を生じさせずに、従来のリップスティックの角度と同様の角度にてリップ製品の塗布が提供されることである。好ましい実施態様において、リップ製品の先頭は、透明または半透明であり、従って製品の色がアプリケータの先頭を通して示される。別の一実施態様では、先頭は着色されて、リップ材料の色を隠蔽し得る。
【００２８】
キャップ１２は、アプリケータの先頭にぴったりと嵌まり、アプリケータの非使用時に、製品を汚染から防止する。キャップ１２が本体１１と接触する箇所にスカート５８が設けられ、このスカートは、本体とキャップとの大きさのわずかな差異にも対応する補助をする。キャップの内部には、オリフィス５２内に挿入されるプラグ５９が設けられて、保管中の製品の放散を防止し、非使用時の製品を汚染から保護する。好ましい実施態様において、プラグ５９はテーパ形状を有する。即ち、プラグ５９は、その先頭６０が基部６１よりも細くなっている。プラグ５９の基部６１は、任意の都合のよい手段によりキャップに固定されている。キャップ内の窓がキャップの頂部を延びる場合において特に適切である好ましい手段の一つは、キャップの内面に、茎部６４よりも頭部６３の方が大きい突出部材６２を備えたキャップを設ける。この頭部を、プラグ５９内の凹部６５内に挿入して、プラグをキャップに固定する。
【図面の簡単な説明】
【００２９】
【図１】香水供給装置を備えた本発明のリップスティックのアプリケータの側面図。
【図１Ａ】図１のキャップの一部頂面図。
【図２】図１のリップスティックアプリケータの断面図。
【図３】保管部装置および先頭の側面図。
【図４】アプリケータの表面部を示す、保管部および先頭の前面図。
【図５】先頭の表面部を詳細に示す図。
【図６Ａ】移動手段の前面図。
【図６Ｂ】保管部の壁の側面図。
【図６Ｃ】移動部材の側面図
【図７Ａ】移動手段である円盤の前面図。
【図７Ｂ】移動手段の一実施態様の側面図。
【図７Ｃ】移動手段の別の一実施態様の側面図。
【図８】挿入前の容器のキャップと本体の基部の側面図。
【図９】本体基部にエンドピースを備える代替的な実施態様の側面図。
【図１０Ａ】エンドピースの端面図。
【図１０Ｂ】エンドピースの側面図。
【図１１Ａ】アプリケータの襟部、即ちＡ−シェルの側面図。
【図１１Ｂ】襟部を有さないアプリケータの保管部の側面図。
【図１１Ｃ】襟部が定位置にある、アプリケータの保管部の側面図。
【図１１Ｄ】アプリケータの表面部の代替的な実施態様を示す図。
【図１２Ａ】窓を有するアプリケータの襟部、即ちＡ−シェルの側面図。
【図１２Ｂ】襟部を有さないアプリケータの保管部の側面図。
【図１２Ｃ】襟部が定位置にあるアプリケータの窓を示す、保管部の側面図。
【国際公開パンフレット】
2005500111.tif 000003
2005500111.tif 000004
2005500111.tif 000005
2005500111.tif 000006
2005500111.tif 000007
2005500111.tif 000008
2005500111.tif 000009
2005500111.tif 000010
2005500111.tif 000011
2005500111.tif 000012
2005500111.tif 000013
2005500111.tif 000014
2005500111.tif 000015
2005500111.tif 000016
2005500111.tif 000017
2005500111.tif 000018
2005500111.tif 000019
2005500111.tif 000020
2005500111.tif 000021
2005500111.tif 000022
2005500111.tif 000023
2005500111.tif 000024
2005500111.tif 000025
2005500111.tif 000026
2005500111.tif 000027
2005500111.tif 000028
【国際調査報告】
2005500111.tif 000029
2005500111.tif 000030
2005500111.tif 000031